(57)【特許請求の範囲】
【請求項１】
猫の胴回り方向に沿って配置される横方向と、
前記横方向と直交し、猫の腹側から背側を繋ぐ方向に延びる縦方向と、
吸収コアを有し、腹側域、股下域及び背側域に跨る本体部と、
前記本体部よりも前記横方向の両外側に延出し、前記腹側域と前記背側域を接合するファスニングテープと、を有する猫用おむつであって、
前記吸収コアは、前記横方向の内側に括れる括れ部を有しており、
前記括れ部の前記横方向の内側縁における前記腹側の端縁は、前記吸収コアの前記縦方向の中心よりも背側に位置している、猫用おむつ。
【請求項２】
前記括れ部は、腹側に位置する腹基端縁、背側に位置する背基端縁、及び前記内側縁を繋ぐ側縁を有しており、
前記括れ部の横方向の中心を通り、かつ前記縦方向に延びる仮想線が、前記腹基端縁から前記内側縁に延びる腹側縁と交差する第１交差点と、前記仮想線が、前記背基端縁から前記内側縁に延びる背側縁と交差する第２交差点と、の距離は、前記吸収コアの前記縦方向の長さに対する４０％未満である、請求項１に記載の猫用おむつ。
【請求項３】
前記吸収コアの前記腹側に位置する腹外端縁と前記第１交差点との距離は、前記吸収コアの前記背側に位置する背外端縁と前記第２交差点との距離よりも長い、請求項２に記載の猫用おむつ。
【請求項４】
前記吸収コアは、前記吸収コアの前記縦方向の中心よりも腹側に位置する腹側領域と、前記吸収コアの前記縦方向の中心よりも背側に位置する背側領域と、を有し、
前記腹側領域の面積は、前記背側領域の面積よりも大きい、請求項１から請求項３のいずれか１項に記載の猫用おむつ。
【請求項５】
前記吸収コアは、前記吸収コアの前記縦方向の中心よりも腹側に位置する腹側領域と、前記吸収コアの前記縦方向の中心よりも背側に位置する背側領域と、を有し、
前記括れ部の内側縁における前記吸収コアの前記横方向の長さは、前記背側領域における前記吸収コアの前記横方向の最大長さに対する５０％以下である、請求項１から請求項４のいずれか１項に記載の猫用おむつ。
【請求項６】
前記本体部には、尻尾穴が形成されており、
前記尻尾穴の前記横方向の最大長さは、前記括れ部の内側縁における前記吸収コアの前記横方向の長さ以上である、請求項１から請求項５のいずれか１項に記載の猫用おむつ。
【請求項７】
前記尻尾穴は、前記吸収コアの前記背側に位置する背外端縁よりも背側に配置されている、請求項６に記載の猫用おむつ。
【請求項８】
前記吸収コアの肌対向面及び非肌対向面を覆うコアラップを有し、
前記括れ部と重なる領域には、前記コアラップ同士が重なる重畳部が設けられている、請求項１から請求項７のいずれか１項に記載の猫用おむつ。
【請求項９】
前記吸収コアよりも肌側に位置する起立性の防漏ギャザーを有しており、
前記防漏ギャザーは、起立可能な起立部と、前記起立部よりも前記横方向の外側に位置し、前記起立部の起立支点となる固定部と、を有し、
前記固定部の内側縁は、前記括れ部の内側縁よりも前記横方向の外側に位置する、請求項１から請求項８のいずれか１項に記載の猫用おむつ。
【請求項１０】
前記括れ部の前記内側縁の前記縦方向の長さは、前記吸収コアの前記縦方向の長さに対する３０％以下である、請求項１から請求項９のいずれか１項に記載の猫用おむつ。
【発明の詳細な説明】
【技術分野】
【０００１】
本発明は、猫に装着される猫用おむつに関する。
【背景技術】
【０００２】
特許文献１には、ペット用おむつが開示されている。特許文献１のペット用おむつは、ペットの腹側に当てられる腹当て部と、ペットの背側に当てられる背当て部と、背当て部において尻尾を挿通させるための尻尾穴部と、腹当て部に設けられたファスナーテープと、を有する。特許文献１のペットおむつを装着する際は、尻尾穴部に尻尾を通しつつ、ペットの腹側に腹当て部を当てるとともに背側に背当て部を当てて、ファスナーテープを背当て部に止める（特許文献１の図４参照）。
【先行技術文献】
【特許文献】
【０００３】
【特許文献１】特開２０１７−１３１１６０号公報
【発明の概要】
【０００４】
特許文献１のペット用おむつは、犬に対しても装着でき、猫に対しても装着できるように構成されている。出願人が鋭意調査した結果、猫と犬で普段の身体の動かし方が大きく異なることがわかった。より詳細には、犬は、地面を走る等、平面方向の動きが多く、猫は、犬と比較して、ジャンプしたり飛び降りたりする等の垂直方向の動きが多いことがわかった。垂直方向に身体を動かそうとすると、後足を曲げた状態から一気に伸ばしたり、脚の曲げ伸ばしとともに腹を凹ませた状態及び背中を丸めた状態から延ばしたりして、腹部、臀部及び足回りの皮膚の伸び縮み量が大きくなり易い。そのため、猫がおむつを着用した状態で時間が経過すると、おむつがずれたり外れたりする不具合があった。
【０００５】
本発明は、上記問題に鑑みてなされたものであり、着用時のずれを抑制できる猫用おむつを提供することを目的とする。
【課題を解決するための手段】
【０００６】
一態様に係る猫用おむつは、猫の胴回り方向に沿って配置される横方向と、前記横方向と直交し、猫の腹側から背側を繋ぐ方向に延びる縦方向と、吸収コアを有し、腹側域、股下域及び背側域に跨る本体部と、前記本体部よりも前記横方向の両外側に延出し、前記腹側域と前記背側域を接合するファスニングテープと、を有する。前記吸収コアは、前記横方向の内側に括れる括れ部を有する。前記括れ部の前記横方向の内側縁における前記腹側の端縁は、前記吸収コアの前記縦方向の中心よりも背側に位置している。
【図面の簡単な説明】
【０００７】
【図１】実施形態に係る猫用おむつの肌面側から見た平面図である。
【図２】図１に示すＡ−Ａ線に沿った猫用おむつの模式的断面図である。
【図３】実施形態に係る猫用おむつの着用状態を模式的に示した図である。
【図４】猫及び犬の身体の形状を模式的に示した図である。
【図５】実施形態に係る吸収コアの拡大平面図である。
【図６】実施形態に係る猫用おむつの肌面側から見た平面図である。
【図７】変形例に係る吸収コアの拡大平面図である。
【０００８】
（１）実施形態の概要
本明細書及び添付図面の記載により、少なくとも以下の事項が明らかとなる。
一態様に係る猫用おむつは、猫の胴回り方向に沿って配置される横方向と、前記横方向と直交し、猫の腹側から背側を繋ぐ方向に延びる縦方向と、吸収コアを有し、腹側域、股下域及び背側域に跨る本体部と、前記本体部よりも前記横方向の両外側に延出し、前記腹側域と前記背側域を接合するファスニングテープと、を有する。前記吸収コアは、前記横方向の内側に括れる括れ部を有する。前記括れ部の前記横方向の内側縁における前記腹側の端縁は、前記吸収コアの前記縦方向の中心よりも背側に位置している。出願人が猫の着用状態を観察した結果、脚幅が最も狭くなる位置よりも腹側に延出する吸収コアの縦方向の長さは、腹側の端縁よりも腹側に延びる吸収コアの縦方向の長さに相当することがわかった。脚幅が最も狭くなる位置よりも腹側に延出する吸収コアの縦方向の長さを十分に確保できるため、垂直方向の動きによって脚を繰り返し前後に動かした場合であっても吸収コアによって身体を覆うことができる。また、脚幅が最も狭くなる位置よりも腹側に延出する吸収コアの縦方向の長さを十分に確保できるため、腹部の皮膚の伸び縮み量が大きくなった場合であっても吸収コアを追従させ続けることができ、おむつが着用された状態を維持し易い。
【０００９】
好ましい一態様によれば、前記括れ部は、腹側に位置する腹基端縁、背側に位置する背基端縁、及び前記内側縁を繋ぐ側縁を有しており、前記括れ部の横方向の中心を通り、かつ前記縦方向に延びる仮想線が、前記腹基端縁から前記内側縁に延びる腹側縁と交差する第１交差点と、前記仮想線が、前記背基端縁から前記内側縁に延びる背側縁と交差する第２交差点と、の距離は、前記吸収コアの前記縦方向の長さに対する４０％未満であってよい。猫が垂直方向に動くと、着地等の衝撃や皮膚の縦方向の伸び縮みに起因しておむつが縦方向にずれ易くなる。このとき、後脚回りの縦方向のずれ量が吸収コアの４０％以下に抑え易い。たとえ、衝撃等でおむつが縦方向にずれる力が作用した場合であっても、おむつを身体に対して覆いづけることができる。
【００１０】
好ましい一態様によれば、前記吸収コアの前記腹側に位置する腹外端縁と前記第１交差点との距離は、前記吸収コアの前記背側に位置する背外端縁と前記第２交差点との距離よりも長くてよい。第１交差点と第２交差点は、括れ部における横方向の中心に位置し、後脚の横方向の中心に当たり易い。括れ部における横方向の中心よりも腹側に延出する吸収コアの縦方向の長さが、括れ部における横方向の中心よりも背側に延出する吸収コアの縦方向の長さよりも長い。後脚よりも腹側に延びる吸収コアの縦方向の長さを十分に確保できるため、腹部の皮膚の伸び縮み量が大きくなった場合であっても吸収コアを追従させ続けることができ、おむつが着用された状態を維持し易い。
【００１１】
好ましい一態様によれば、前記吸収コアは、前記吸収コアの前記縦方向の中心よりも腹側に位置する腹側領域と、前記吸収コアの前記縦方向の中心よりも背側に位置する背側領域と、を有し、前記腹側領域の面積は、前記背側領域の面積よりも大きくてよい。雌の犬の排尿口は、背側領域に当たり易く、雄の犬の排尿口は、腹側領域に当たりやすい。一方、猫の排尿口は、雄の場合も雌の場合も、背側領域に当たり易い。猫のおむつにおいて、腹側領域の面積を大きくすることで、背側領域から腹側領域に拡散する体液保持することができる。また、一般的に、猫は飲水量が少ないため、泌尿器疾患にかかり易い。泌尿器疾患にかかると、多飲多尿の症状が出やすい。多尿になった場合は、吸収コアの腹側領域に拡散が広がる傾向がより顕著になる。腹側領域の面積を大きくすることで、多尿になった場合においても背側領域から腹側領域に拡散する体液保持することができる。
【００１２】
好ましい一態様によれば、前記吸収コアは、前記吸収コアの前記縦方向の中心よりも腹側に位置する腹側領域と、前記吸収コアの前記縦方向の中心よりも背側に位置する背側領域と、を有し、前記括れ部の内側縁における前記吸収コアの前記横方向の長さは、前記背側領域における前記吸収コアの前記横方向の最大長さに対する５０％以下であってよい。吸収コアの背側領域における横方向の最大長さと、括れ部の内側縁における吸収コアの幅と、の差を大きく設けることができる。猫の排尿口は、雄の場合も雌の場合も、背側領域に当たり易い。猫のおむつにおいて、背側領域の吸収コアの横方向の最大長さを大きくすることで、背側領域の吸収容量を確保できる。
【００１３】
好ましい一態様によれば、前記本体部には、尻尾穴が形成されており、前記尻尾穴の前記横方向の最大長さは、前記括れ部の内側縁における前記吸収コアの前記横方向の長さ以上であってよい。着用時に尻尾穴に尻尾を挿入することで、尻尾を介して尻尾穴を横方向に引っ張ることができ、吸収コアには、横方向に伸張される力がかかる。吸収コアの横方向に広げて吸収コアのよれを低減でき、着用時における吸収コアの横方向の長さを確保し易い。尻尾の横方向の最大長さが括れ部の吸収コアの横方向の長さ以上であるため、尻尾穴の横方向全域に亘って吸収コアを広げる力が作用した際に、括れ部における吸収コアの横方向の全域を広げることができる。
【００１４】
好ましい一態様によれば、前記尻尾穴は、前記吸収コアの前記背側に位置する背外端縁よりも背側に配置されてよい。尻尾穴が吸収コアと重ならない領域に設けられているため、尻尾を介して尻尾穴を横方向に引っ張る力が吸収コアの剛性の影響を受けにくい。そのため、尻尾を介して吸収コアのよれを低減する効果をより得やすい。
【００１５】
好ましい一態様によれば、前記吸収コアの肌対向面及び非肌対向面を覆うコアラップを有し、前記括れ部と重なる領域には、前記コアラップ同士が重なる重畳部が設けられてよい。本態様によれば、重畳部に括れ部近傍の剛性を高めることができる。吸収コアの括れ部のよれを抑制でき、フィット性を維持できる。
【００１６】
好ましい一態様によれば前記吸収コアよりも肌側に位置する起立性の防漏ギャザーを有しており、前記防漏ギャザーは、起立可能な起立部と、前記起立部よりも前記横方向の外側に位置し、前記起立部の起立支点となる固定部と、を有し、前記固定部の内側縁は、前記括れ部の内側縁よりも前記横方向の外側に位置してよい。漏ギャザーは、固定部を基点として起立部が立ち上がるとともに、吸収コアの剛性差によって吸収コアの外側縁を基点に起立部及び固定部全体が立ち上がることがある。このとき、括れ部が設けられた領域において吸収コアの外側縁となる括れ部の内側縁よりも横方向の外側に固定部の内側縁があるため、括れ部の外側縁を基点に起立部及び固定部全体が立ち上がる。括れ部が設けられた領域では、吸収コアの横方向の長さが比較的短く、吸収コアよりも横方向の外側に体液が導かれるおそれがあるが、起立部の立ち上がる高さを確保でき、漏れを抑制できる
【００１７】
好ましい一態様によれば、前記括れ部の前記内側縁の前記縦方向の長さは、前記吸収コアの前記縦方向の長さに対する３０％以下であってよい。本態様によれば、脚幅が最も狭くなる位置に対してフィットした状態で縦方向のずれ量が吸収コアの３０％以下となる。たとえ、衝撃等でおむつが縦方向にずれる力が作用した場合であっても、おむつを身体に対して覆いづけることができる。
【００１８】
（２）猫用おむつの構成
以下、図面を参照して、実施形態に係る猫用おむつについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００１９】
図１は、実施形態に係る猫用おむつの表面側Ｔ１からから見た平面図である。図２は、図１に示すＡ−Ａ線に沿った猫用おむつの模式的断面図である。図１及び図２では、猫用おむつ１を皺が形成されない状態まで伸長させた伸長状態を示している。また、図２に示す断面図では、説明の便宜上、各部材を厚み方向Ｔにおいて離間して示しているが、実際の製品においては厚み方向Ｔに接している。図３は、猫用おむつの着用状態を模式的に示した図である。
【００２０】
猫用おむつ１は、猫の胴回り方向に沿って配置される横方向Ｗと、横方向Ｗと直交する縦方向Ｚと、横方向Ｗ及び縦方向Ｚと直交する厚み方向Ｔと、を有する。縦方向Ｚは、猫の腹側から背側を繋ぐ方向に延びる。厚み方向Ｔは、着用状態において猫に当てられる表面側Ｔ１と、着用状態において外側に向けられる裏面側Ｔ２と、に延びる。図３に示すように、実施形態に係る猫用おむつは、猫の腹側から股下を通って背側まで覆うように装着される。
【００２１】
猫用おむつ１は、本体部２と、ファスニングテープ９０と、を有してよい。横方向Ｗの一端部である本体第１端部６１と、横方向Ｗの他端部である本体第２端部６２と、縦方向Ｚの一端部である本体第３端部６３と、縦方向Ｚの他端部である本体第４端部６４と、を有してよい。本体第１端部６１は及び本体第２端部６２には、ファスニングテープ９０が接合されている。本体第３端部６３は、着用状態において猫の腹側に配置される。本体第４端部６４は、本体第３端部６３と対向しており、着用状態において猫の背側に配置される。また、本発明における端部は、端縁を含む一定の範囲を占める部分である。本体第１端部６１は、本体部２の横方向Ｗの一端縁である第１端縁６１Ｅから横方向Ｗの内側に延びる部分である。同様に、本体第２端部６２は、本体部２の横方向Ｗの他端縁である第２端縁６２Ｅから横方向Ｗの内側に延びる部分である。本体第１端部及び本体第２端部６２は、本体部２の横方向Ｗの端縁と吸収コア３０の横方向Ｗの端縁との間の領域であってよい。また、本体第３端部６３は、本体部２の縦方向Ｚの一端縁である第３端縁６３Ｅから縦方向Ｚの内側に延びる部分である。同様に、本体第４端部６４は、本体部２の縦方向Ｚの他端縁である第４端縁６４Ｅから縦方向Ｚの内側に延びる部分である。本体第３端部６３及び本体第４端部６４は、本体部２の縦方向Ｚの端縁と吸収コア３０の縦方向Ｚの端縁との間の領域であってよい。また、本体第４端部６４は、本体部２の縦方向Ｚの端縁と吸収コア３０の縦方向Ｚの端縁との間の領域であってよいし、本体部２の縦方向Ｚの端縁と後述する尻尾穴７０との間の領域であってもよい。
【００２２】
本体部２は、猫の腹側に当てられる腹側域Ｓ１と、猫の背側に当てられる背側域Ｓ２と、猫の股下に当てられる股下域Ｓ３と、に跨っている。腹側域Ｓ１は、本体第３端部６３を含む領域である。ファスニングテープ９０は、腹側域Ｓ１に配置されている。背側域Ｓ２は、本体第４端部６４を含む領域である。股下域Ｓ３は、腹側域Ｓ１と背側域Ｓ２の間の領域である。股下域Ｓ３は、脚回り開口部５が形成された領域であってよい。脚回り開口部５は、猫の脚回に配置される領域であり、本体部２の外側縁から横方向Ｗの内側に凹んでいる。本体部２の外側縁は、第１端縁６１Ｅ及び第２端縁６２Ｅによって構成される。
【００２３】
本体部２は、表面シート１０、裏面シート２０、及び吸収コア３０を少なくとも有する。表面シート１０は、本体部２において猫に当てられる内面２Ｐに配置されている。表面シート１０は、体液を吸収コア３０側に透過させる液透過性を有する。表面シート１０は、縦方向Ｚの中央に位置し、吸収コア３０を覆うセンターシート１１と、センターシート１１の横方向Ｗの両側部を覆うサイドシート１２と、を有してよい。図２に示すように、サイドシート１２は、折り畳まれていてよい。具体的には、サイドシート１２の横方向Ｗの内側縁において裏面側Ｔ２に折り返されている。折り返されたサイドシート１２間に、縦方向Ｚに伸長された状態のサイド伸縮性部材１３が配置されてよい。サイド伸縮性部材１３は、猫側に起立する防漏ギャザー１５を構成してよい。防漏ギャザー１５は、吸収コア３０よりも肌側に位置する起立性のギャザーであり、起立部１６と固定部１７を有する。起立部１６は、サイドシート１２がセンターシート１１に対して固定されていない部分であり、サイド伸縮性部材１３の収縮によって起立可能な部分である。固定部１７は、サイドシート１２がセンターシート１１に対して固定された部分のうち起立部１６よりも横方向Ｗの外側に位置する部分である。なお、防漏ギャザー１５は、サイドシート１２がセンターシート１１に対して固定された部分であって、起立部１６よりも縦方向Ｚの外側に位置する第２固定部１８を有してよい。起立部１６は、固定部１７及び第２固定部１８を基点として猫側に起立可能である。
【００２４】
吸収コア３０は、表面シート１０と裏面シート２０の間に配置されている。吸収コア３０は、パルプ等の吸収材料が積層されている。図２に示すように、吸収コア３０を覆うコアラップ３２が設けられていてよい。吸収コア３０は、横方向Ｗにおいて本体部２の両端縁よりも内側に配置されている。すなわち、吸収コア３０の横方向Ｗの長さは、本体部２の横方向Ｗの長さよりも短い。吸収コア３０は、本体部２の横方向Ｗの中央に配置され、本体部２の横方向Ｗの外側部には設けられていない。また、吸収コア３０は、縦方向Ｚにおいて本体部２の両端縁よりも内側に配置されてよい。すなわち、吸収コア３０の縦方向Ｚの長さは、本体部２の縦方向Ｚの長さよりも短くてよい。吸収コア３０は、本体部２の縦方向Ｚの中央に配置され、本体部２の縦方向Ｚの外側部には設けられていなくてよい。吸収コア３０は、少なくとも股下域Ｓ３と腹側域Ｓ１に跨がって配置され、背側域Ｓ２に配置されていなくてもよい。吸収コア３０の縦方向の中心ＣＺ３０は、おむつの縦方向の中よりも腹側に位置してよい。吸収コア３０は、後述する尻尾穴７０と縦方向Ｚに離間し、尻尾穴７０よりも腹側に位置してよい。吸収コア３０については、後述にて詳細に説明する。
【００２５】
裏面シート２０は、本体部２において着用時に外側に位置する外面２Ｑに配置されている。裏面シート２０は、液不透過性の裏面フィルム２１と、裏面フィルム２１よりも裏面側に位置する裏面不織布２２と、を有してよい。なお、変形例において、裏面シートは、液不透過性の裏面フィルムと、裏面フィルム２１よりも内面側に位置する裏面不織布と、を有してよい。裏面フィルム２１の横方向Ｗの長さは、裏面不織布２２の横方向Ｗの長さよりも短くてよい。すなわち、裏面不織布２２は、裏面フィルム２１よりも横方向Ｗの両側に延出してよい。
【００２６】
ファスニングテープ９０は、本体部２の縦方向Ｚの一端部である本体第３端部６３において、本体部２よりも横方向Ｗの両外側に延出している。より詳細には、ファスニングテープ９０は、本体第３端部６３において、本体部２の第１端縁６１Ｅ及び第２端縁６２Ｅよりも横方向Ｗの外側に延出している。ファスニングテープ９０は、腹側域Ｓ１と背側域Ｓ２を接合する。ファスニングテープ９０は、本体部２に接合された基材シート９１と、基材シート９１上に設けれ、本体部２の外面２Ｑに接合可能な接合部９２と、を有してよい。接合部９２は、ファスニングテープ９０の表面側Ｔ１の面に配置されている。接合部９２は、メカニカルファスナであってよく、本体部２の外面２Ｑに設けられたターゲット部４５に接合可能に構成されている。ターゲット部４５の少なくとも一部は、背側域Ｓ２に設けられてよい。本実施の形態のターゲット部４５は、背側域Ｓ２と股下域Ｓ３に跨がっている。なお、変形例において、本体部２は、ターゲット部４５を備えず、接合部９２は、本体部２の外面２Ｑ側の裏面シート２０に接合するように構成されてよい。変形例において、接合部は、本体第４端部６４において、本体部２よりも横方向Ｗの両外側に延出してもよい。
【００２７】
猫用おむつ１の本体部２には、尻尾穴７０が設けられてよい。尻尾穴７０は、猫の尻尾を挿通可能な穴本体部７１を有してよい。尻尾穴７０を有するおむつにあっては、本体第４端部６４によって猫の臀部及び背中を覆う際に、尻尾穴７０の穴本体部７１に猫の尻尾を挿通させてよい。穴本体部７１は、半円形の切り込みであってよい。穴本体部７１は、連続した切れ込みであってもよいし、ミシン目等、表面シート１０及び裏面シート２０を引き裂き可能な構成であってもよい。尻尾穴７０は、穴本体部７１の寸法を拡大するための切り込み部７２を有してもよい。切り込み部７２は、ミシン目等、表面シート１０及び裏面シート２０を引き裂き可能な構成であってよく、猫の種類及び成長過程に応じて穴本体部７１の寸法を調整できる。本実施の形態の切り込み部は、尻尾穴７０の横方向Ｗの中心に対する左右それぞれに２個ずつ設けられている。変形例において、切り込み部７２は、尻尾穴７０の横方向Ｗの中心に対する左右それぞれに１個ずつ設けられていてもよいし、２個以上ずつ設けられていて複数段階で尻尾穴７０の寸法を調整できるように構成されてよい。穴本体部７１及び切り込み部７２は、表面シート１０及び裏面シート２０が切断された部分であってよい。
【００２８】
猫用おむつ１を猫に装着する際は、本体第３端部６３（接合部９２が設けられた側の端部）を猫の腹に当てる。このとき、本体第４端部６４を猫の両足の間を通し、かつ猫の後側に出しておく。そして、本体部２の縦方向Ｚの中央を猫の排尿口に当てつつ、猫の尻尾を、尻尾穴７０を通しておむつの裏面側Ｔ２に出しておく。本体第４端部６４によって猫の臀部及び背中を覆う。次いで、接合部９２を猫の背中側に引っ張り、背中側に位置する本体第４端部６４のターゲット部４５に外面に接合部９２を止める。これにより、図３に示すように、猫の腹、背中、及び股下を覆うように猫用おむつ１を装着できる。すなわち、猫用おむつ１は、猫の腹側から股下を通って背側まで覆うように装着される。
【００２９】
本実施の形態のおむつは、猫の脚回りに対してフィットさせ易く構成されている。次いで、猫の脚回りに対してフィットさせ易くするための構成について詳細に説明する。図４は、猫及び犬の身体の形状を模式的に示した図である。図４（ａ）は、猫の身体の形状を示しており、（ｂ）は、犬の身体の形状を示している。図１に示すように、脚回り開口部５は、腹側において本体部２の外側縁２Ｅから横方向Ｗの内側に延びる腹側辺５１と、背側において本体部２の外側縁２Ｅから横方向Ｗの内側に延びる背側辺５２と、腹側辺５１と背側辺５２を繋ぎ、縦方向Ｚに延びる縦側辺５３と、を有してよい。縦側辺５３が直線状であり、かつ腹側辺５１及び背側辺５２が曲線状の形態にあっては、腹側辺５１と縦側辺５３の境界は、直線と曲線の境界であってよい。また、腹側辺５１、背側辺５２、及び縦側辺５３がいずれも曲線状の形態にあっては、曲率が変化する箇所を境界としてよい。また、曲率が変化する境界が複数存在する形態にあっては、横方向Ｗに対して４５以下の角度で延びる部分を腹側辺５１及び背側辺５２として、縦方向Ｚに対して４５未満の角度で延びる部分を縦側辺５３として境界を設定してもよい。脚回り開口部が一定の曲率半径の円弧形状である場合には、円弧の曲率半径の中心を通り、横方向に延びる仮想線と脚回り開口部５の交点が、腹側辺５１と縦側辺５３の境界又は背側辺５２と縦側辺５３の境界であってよい。脚回り開口部５が曲率半径が変化する楕円の円弧形状である場合には、それぞれの曲率半径の中心を通り、横方向に延びる仮想線と脚回り開口部５の交点が、腹側辺５１と縦側辺５３の境界又は背側辺５２と縦側辺５３の境界であってよい。
【００３０】
図１に示すように、腹側辺５１の縦方向Ｚの長さをａとし、腹側辺５１の横方向Ｗの長さをｂとすると、ａ＜ｂを満たしてよい。腹側辺５１の縦方向Ｚの長さａは、換言すると、脚回り開口部５の腹側の端縁と、縦側辺５３と、の縦方向Ｚの距離である。腹側辺５１の横方向Ｗの長さｂは、換言すると、第１端縁６１Ｅと、縦側辺５３の腹側の端縁と、の横方向Ｗの距離である。猫におむつを装着する際は、腹側域Ｓ１を猫の腹側に当て、股下域Ｓ３を猫の股下に当てるとともに、背側域Ｓ２を猫の背側に当てた状態で、ファスニングテープ９０によって腹側域Ｓ１及び背側域Ｓ２を止着する。図３に示すように、着用状態において、脚回り開口部５が猫の後脚を囲むように配置され、脚回り開口部５の腹側辺５１は、猫の後脚の腹側の面に当たる。腹側辺５１の横方向Ｗの長さｂが腹側辺５１の縦方向Ｚの長さａよりも長いため、脚回りに対して脚回り開口部５がフィットする際に、縦方向Ｚの長さが短い範囲内で横方向Ｗに延びる領域を確保できる。例えば、ａ＝ｂの場合には、腹側辺５１の縦方向Ｚの長さと横方向Ｗの長さが同じであるため、縦方向Ｚの長い範囲内で徐々に横方向に入り込むため、脚回りに緩やかにフィットし易い。
【００３１】
図４に示すように、出願人が鋭意調査した結果、猫における脚回りの形状と、犬における脚回りの形状と、は、大きく異なることがわかった。より詳細には、犬の脚の付け根近傍では、骨周りの肉付きが比較的少ない。また、四つん這いの状態における犬の脚は、関節で若干曲がっているものの、比較的真っすぐに延びている。これに対して、猫の脚の付け根近傍では、骨周りの肉付きが犬と比較すると多い。また、四つん這いの状態における猫の脚は、関節で大きく曲がっている。このように、猫は、脚の付け根の肉付きが多く、また付け根の関節が曲がっているため、犬と比較して脚の付け根におむつをフィットさせ難いことがあった。脚の付け根におむつがフィットしないと、着用過程でずれたり外れたりすることがあった。しかし、ａ＜ｂを満たすことにより、縦方向Ｚの短い範囲内で横方向Ｗの内側に局所的に入り込むため、脚回りに対してタイトにフィットさせ易い。脚回りにタイトにフィットさせることにより、肉付きが比較的多かったり関節が曲がっていたりして脚回りにタイトにフィットさせにくい猫に対して、使用者が意識せずに脚回りに対してタイトにフィットさせ易く、着用過程で外れる不具合を抑制できる。
【００３２】
ファスニングテープ９０と縦側辺５３の縦方向Ｚの距離をｃとし、腹側辺５１の横方向Ｗの長さをｂとすると、ｃ＜ｂを満たしてよい。ファスニングテープ９０と縦側辺５３の縦方向Ｚの距離ｃは、換言すると、腹側辺５１と縦側辺５３の境界と、ファスニングテープ９０の背側の端縁と、の縦方向Ｚの距離である。おむつを猫に装着する際には、ファスニングテープ９０を横方向に引っ張って、ターゲット部４５等に接合する。このとき、脚回り開口部５の腹側辺５１側が横方向Ｗに引っ張られ、両方の後脚の間から後脚を通って背側に延びるラインは、縦側辺５３とファスニングテープ９０を繋ぐ縦方向Ｚに延びるラインによって構成される。距離ｃが腹側辺５１の横方向Ｗの長さｂよりも短いため、脚回りに対して脚回り開口部５がフィットする際に、縦方向Ｚの長さが短い範囲内で横方向Ｗに延びる領域を確保できる。縦方向Ｚの短い範囲内で横方向に局所的に入り込むため、脚回りに対してタイトにフィットさせ易い。脚回りにタイトにフィットさせることにより、着用過程で外れる不具合を抑制できる。
【００３３】
本体部２の縦方向Ｚの長さをｄとすると、ｄに対する腹側辺５１の縦方向Ｚの長さａの比率は、１０％以下であってよい。本体部２の縦方向Ｚの長さｄは、換言すると、第３端縁６３Ｅと第４端縁６４Ｅの縦方向Ｚの距離である。なお、本体部２の縦方向Ｚの長さは、猫用おむつ１の縦方向Ｚの全長であってもよい。本体部２全体に対する腹側辺５１の縦方向の長さａの比率が低いため、脚回りに対する縦方向Ｚのずれを抑制できる。縦方向Ｚのずれ量が多くなることに起因しておむつが着用時に外れたり、脚の前後の動きを阻害したりする不具合を抑制できる。
【００３４】
腹側辺５１とターゲット部４５の縦方向の距離をｅとすると、本体部２の縦方向Ｚの長さｄに対するｅの比率は、６０％以上であってよい。腹側辺５１とターゲット部４５の縦方向の距離は、換言すると、腹側辺５１と縦側辺５３の境界とターゲット部４５の縦方向の距離である。縦方向Ｚにおいて腹側辺５１とターゲット部４５の間の領域は、ファスニングテープ９０をターゲット部４５等に止着した状態で、腹側から背側にかけて身体を覆っており、身体の動きや皮膚の伸び縮みに追従して変形する領域である。本体部２全体に対するｅの長さの比率が高いため、猫の動き等に応じて変形する領域を広く確保できる。また、出願人が鋭意調査した結果、猫と犬で普段の身体の動かし方が大きく異なることがわかった。より詳細には、犬は、地面を走る等、平面方向の動きが多く、猫は、犬と比較して、ジャンプしたり飛び降りたりする等の垂直方向の動きが多いことがわかった。垂直方向に身体を動かそうとすると、後足を曲げた状態から一気に伸ばしたり、脚の曲げ伸ばしとともに腹を凹ませた状態及び背中を丸めた状態から延ばしたりして、腹部、臀部及び足回りの皮膚の伸び縮み量が大きくなり易い。ｅの長さを確保することにより、垂直方向に身体を動かした際におむつを追従させることができ、おむつが意図せずにずれることを抑制できる。
【００３５】
尻尾穴７０の背側の端縁とターゲット部４５の縦方向Ｚの距離をｆとすると、本体部２の縦方向Ｚの長さｄに対するｆの比率は、２０％以上であってよい。尻尾穴７０の背側の端縁とターゲット部４５の縦方向Ｚの距離ｆは、ファスニングテープ９０をターゲット部４５に止着した状態で、尻尾穴７０から背側にかけた領域を覆う領域の長さであり、背側における身体の動きや皮膚の伸び縮みに追従して変形する領域の長さである。猫は、犬と比較して、背中を丸めて伸びをしたり、背中を丸めて座ったり、背中を丸くする姿勢をとることが多い。背中を丸めた姿勢を取ったり、背中を伸ばした姿勢を取ったりすると、背中の動きや皮膚の伸び縮み量が大きい。本体部２全体に対するｆの長さの比率が高いため、猫の動き等に応じて変形する領域を背側において広く確保でき、おむつを背側の動きに追従させ、おむつが意図せずにずれることを抑制できる。また、好適には、尻尾穴（穴本体部７１＋切り込み部７２）７０とターゲット部４５の縦方向Ｚの距離ｆは、本体部２の縦方向Ｚの長さｄに対する２０％以上であってよい。尻尾穴（穴本体部７１＋切り込み部７２）７０とターゲット部４５の縦方向Ｚの距離ｆは、切り込み部７２によって尻尾穴の開口を拡大した状態において背側における身体の動きや皮膚の伸び縮みに追従して変形する領域の長さである。当該構成によれは、切り込み部７２によって尻尾穴７０の寸法を大きくした場合であっても、猫の動き等に応じて変形する領域を背側において広く確保でき、おむつを背側の動きに追従させ、おむつが意図せずにずれることを抑制できる。
【００３６】
穴本体部７１の縦方向Ｚの最大長さをｇとすると、腹側辺５１とターゲット部４５の縦方向Ｚの距離ｅに対するｇの比率は、３．５０％以下であってよい。犬は、比較的左右方向に尻尾を動かすことが多く、猫は、比較して上下方向に尻尾を動かすことが多い。そのため、猫がおむつを着用した状態では、穴本体部７１が縦方向に引っ張られ、おむつが縦方向Ｚにずれやすい。このとき、可動域に対する穴本体部７１の縦方向の長さの比率が低いため、穴本体部７１を介しておむつが縦方向Ｚにずれる量を抑制できる。また、尻尾穴の縦方向の最大長さをｈとすると、腹側辺５１とターゲット部４５の縦方向Ｚの距離ｅに対するｈの比率は、５．５％以下であってよい。尻尾穴７０の縦方向Ｚの最大長ｈは、尻尾穴（穴本体部７１＋切り込み部７２）７０の縦方向Ｚの最大長さである。当該構成によれは、切り込み部７２によって尻尾穴７０の寸法を大きくした場合において、可動域に対する尻尾穴７０の縦方向の長さの比率を低くし、尻尾穴７０を介しておむつが縦方向Ｚにずれる量を抑制できる。
【００３７】
吸収コア３０の横方向Ｗの最大長さに対する穴本体部７１の横方向Ｗの最大長さの比率は、３５％以上であってよい。着用時に尻尾穴７０に尻尾を挿入することで、尻尾を介して尻尾穴７０の穴本体部７１を横方向Ｗに引っ張ることができ、吸収コア３０には、横方向Ｗに伸長される力がかかる。吸収コア３０の横方向Ｗに広げて吸収コア３０のよれを低減でき、着用時における吸収コア３０の横方向Ｗの長さを確保し易い。特に猫は、犬と比較して、胴回り寸法に対する尻尾の径の比率が高い。よって、尻尾を介して吸収コア３０のよれを低減する効果を得やすい。吸収コア３０のよれを広げることができ、着用時における吸収コア３０の横方向Ｗの長さを確保し易い。また、吸収コア３０の横方向Ｗの最大長さに対する穴本体部７１の横方向Ｗの最大長さの比率が高いため、穴本体部７１を介して吸収コア３０を広げる力が吸収コア３０の横方向Ｗ全域に伝達し易い。吸収コア３０の変形に起因してフィット性が低下し難く、体液の漏れを抑制できるとともに、着用時に猫が足を動きかし易い状態を維持できる。また、好適には、吸収コア３０の横方向Ｗの最大長さに対する尻尾穴（穴本体部７１＋切り込み部７２）７０の横方向Ｗの最大長さに比率は、４０％超であってよい。当該構成によれは、切り込み部７２によって尻尾穴７０の寸法を大きくした場合において、吸収コア３０の横方向の最大長さに対する穴本体部７１の横方向の最大長さの比率が高いため、尻尾穴７０を介して吸収コア３０を広げる力が吸収コア３０の横方向Ｗ全域により伝達し易い。また、尻尾穴７０は、吸収コア３０の背側に位置する背外端縁Ｒ３０よりも背側に配置されてよい。尻尾穴７０が吸収コア３０と重ならない領域に設けられているため、尻尾を介して尻尾穴７０を横方向Ｗに引っ張る力が吸収コア３０の剛性の影響を受けにくい。そのため、尻尾を介して吸収コア３０のよれを低減する効果をより得やすい。
【００３８】
次いで、図５に基づいて吸収コア３０について詳細に説明する。図５は、吸収コア３０の拡大平面図である。吸収コア３０は、横方向Ｗの内側に括れる括れ部３１を有してよい。括れ部３１は、吸収コア３０の外側縁３０Ｅから横方向Ｗの内側に凹んでいる部分である。括れ部３１の内側縁３１Ｄは、括れ部３１において最も横方向の内側に位置する部分であり、括れ部３１の外側縁３１Ｅは、括れ部３１において最も横方向Ｗの外側に位置する部分であり、吸収コア３０の外側縁３０Ｅに一致してよい。括れ部３１の横方向Ｗの内側縁３１Ｄにおける腹側の端縁Ｐ３１１は、吸収コア３０の縦方向Ｚの中心ＣＺ３０よりも背側に位置してよい。本実施の形態のように、括れ部３１の内側縁３１Ｄが縦方向Ｚに延びていない構成にあっては、腹側の端縁Ｐ３１１は、点であり、括れ部３１の内側縁３１Ｄにおける背側の端縁Ｐ３１２と一致している。しかし、括れ部３１の内側縁３１Ｄの縦方向Ｚに延びている構成にあっては、腹側の端縁Ｐ３１１は、縦方向Ｚに延びる内側縁３１Ｄにおいて最も腹側に位置する縁であり、背側の端縁Ｐ３１２と縦方向Ｚに離間している。
【００３９】
図３に示すように、着用状態において、脚回り開口部５が猫の後脚を囲むように配置され、吸収コア３０の括れ部３１の内側縁３１Ｄは、後脚から臀部にかけて脚幅（両脚同士の間隔）が最も狭くなる部分１０５（図４参照）を中心としてフィットする。このとき、従来の犬と猫の兼用のおむつにあっては、括れ部３１の内側縁３１Ｄにおける腹側の端縁Ｐ３１１が、吸収コア３０の縦方向Ｚの中心ＣＺ３０又は腹側に偏倚して配置されている。そのため、脚幅が最も狭くなる位置よりも腹側に延出する吸収コア３０の縦方向Ｚの長さを十分に確保できなかった。そのため、猫の垂直方向の動きに伴って腹部の皮膚の伸び縮み量が大きくなった場合に、吸収コア３０を追従させ続けることができず、おむつがずれたり外れたりする不具合があった。また、猫が垂直方向に動かそうとして後足を曲げたり延ばしたりすると、脚幅が最も狭くなる位置１０５よりも腹側に延出する吸収コア３０が繰り返し変形し、身体を覆い続け難いことがあった。出願人が猫の着用状態を観察した結果、脚幅が最も狭くなる位置１０５よりも腹側に延出する吸収コア３０の縦方向Ｚの長さは、腹側の端縁Ｐ３１１よりも腹側に延びる吸収コア３０の縦方向の長さに相当することがわかった。括れ部３１の横方向Ｗの内側縁３１Ｄにおける腹側の端縁Ｐ３１１が吸収コアの縦方向Ｚの中心ＣＺ３０よりも背側に位置していることにより、脚幅が最も狭くなる位置１０５よりも腹側に延出する吸収コア３０の縦方向Ｚの長さを十分に確保できる。そのため、垂直方向の動きによって脚を繰り返し前後に動かした場合であっても吸収コア３０によって身体を覆うことができる。また、脚幅が最も狭くなる位置１０５よりも腹側に延出する吸収コア３０の縦方向Ｚの長さを十分に確保できるため、腹部の皮膚の伸び縮み量が大きくなった場合であっても吸収コアを追従させ続けることができ、おむつが着用された状態を維持し易い。
【００４０】
括れ部３１の内側縁３１Ｄの縦方向Ｚの長さＺ３１Ｄ（図７参照）は、吸収コア３０の縦方向Ｚの長さＺ３０に対する３０％以下であってよい。なお、本実施の形態の括れ部３１の内側縁３１Ｄは、点状であり、内側縁３１Ｄの縦方向Ｚの長さは、限りなく０に近い値である。猫が垂直方向に動くと、着地等の衝撃や皮膚の縦方向の伸び縮みに起因して、おむつが縦方向Ｚにずれ易くなる。このとき、括れ部３１の内側縁３１Ｄの長さが３０％以下であるため、脚幅が最も狭くなる位置１０５に対してフィットした状態で縦方向Ｚのずれ量が吸収コアの３０％以下となる。たとえ、衝撃等でおむつがずれる方向に力が作用した場合であっても、おむつを身体に対して覆いづけることができる。また、内側縁３１Ｄの縦方向Ｚの長さＺ３１Ｄは、括れ部３１の縦方向Ｚの長さＺ３１に対する４０％以下であってよい。括れ部３１内において内側縁３１Ｄが占める縦方向Ｚの長さの比率が低いため、おむつの縦方向Ｚのずれ量を抑えることができる。
【００４１】
括れ部３１は、腹側に位置する腹基端縁３１１、背側に位置する背基端縁３１２、及び内側縁３１Ｄを繋ぐ側縁３３を有している。腹基端縁３１１は、括れ部３１において最も腹側に位置する縁であり、背基端縁３１２は、括れ部３１において最も背側に位置する縁である。側縁３３は、腹基端縁３１１から内側縁３１Ｄに延びる腹側縁Ｆ３３と、背基端縁３１２から内側縁３１Ｄに延びる背側縁Ｒ３３と、を有する。腹側縁Ｆ３３と背側縁Ｒ３３は、横方向Ｗに延びる横仮想線に対して対称でなく、非対称であってよい。腹側縁Ｆ３３は、腹基端縁３１１から背側に向かって直線状に延びる部分ＳＦ３３と、直線状に延びる部分ＳＦ３３と内側縁３１Ｄを曲線状に繋ぐ部分ＣＦ３３と、を有する。直線状に延びる部分ＳＦ３３は、縦方向Ｚに対して角度α傾斜している。角度αは、曲線状に繋ぐ部分ＣＦ３３の縦方向Ｚに対する傾斜角度よりも小さい。また、腹側縁Ｆ３３において、直線状に延びる部分ＳＦ３３の縦方向Ｚの長さは、曲線状に繋ぐ部分ＣＦ３３の縦方向Ｚの長さよりも短い。よって、腹側縁Ｆ３３は、括れ部３１のうち縦方向Ｚの半分以上の領域で緩やかに横方向Ｗに凹み、括れ部３１の縦方向Ｚの短い範囲で横方向Ｗに局所的に凹む形状である。そのため、猫の脚回りにおける縦方向Ｚのずれをより抑制できる。また、背側縁Ｒ３３は、背基端縁３１２から内側縁３１Ｄに向けて曲線状に延びており、直線状に延びる部分を有していない。
【００４２】
括れ部３１の横方向Ｗの中心を通り、かつ縦方向に延びる仮想線ＷＬ３１が、腹側縁Ｆ３３と交差する第１交差点Ｐ１と、仮想線ＷＬ３１が、背側縁Ｒ３３と交差する第２交差点Ｐ２と、の距離Ｇ１２は、吸収コア３０の縦方向Ｚの長さＺ３０に対する４０％未満であってよい。第１交差点Ｐ１と第２交差点Ｐ２の距離Ｇ１２は、括れ部３１の横方向Ｗの中心における括れ部３１の縦方向Ｚの長さであり、吸収コア３０が後脚に密着せずに縦方向Ｚに吸収コアがずれ易い範囲の長さとなる。第１交差点Ｐ１と第２交差点Ｐ２の距離Ｇ１２が吸収コア３０の縦方向Ｚの長さＺ３０に対する４０％未満であることにより、後脚の周囲における縦方向Ｚのずれ量が吸収コア３０の４０％以下に抑え易い。たとえ、衝撃等でおむつが縦方向Ｚにずれる力が作用した場合であっても、おむつを身体に対して覆いづけることができる。
【００４３】
吸収コア３０の括れ部３１において腹側に向かって延びる腹側縁Ｆ３３の少なくとも一部は、内側縁３１Ｄから腹側に向かって横方向Ｗの外側に延びてよい。より詳細には、腹側縁Ｆ３３のうち、腹基端縁３１１から背側に直線状に延びる部分ＳＦ３３及び曲線状に延びる部分ＣＦ３３は、それぞれ内側縁３１Ｄから腹側に向かって横方向Ｗの外側に延びている。括れ部３１の内側縁３１Ｄにおいて吸収コア３０の横方向Ｗの長さを短くして、猫の両脚の横方向の長さが短い部分に吸収コア３０をフィットさせ易い。特に、猫は、犬よりも脚幅が狭く、吸収コア３０の横方向Ｗの長さが短くなっていることにより、猫の体形により好適にフィットさせることができる。また、括れ部３１の内側縁３１Ｄから腹側に向かって横方向Ｗの長さが長くなっているため、括れ部３１の内側縁３１Ｄにおける吸収コア３０の横方向Ｗの長さを短くしつつも、腹側における吸収コア３０の面積を確保できる。また、脚回り開口部５の縦側辺５３は、腹側から背側に向かって横方向Ｗの外側に延びてよい。腹側から背側に向かって横方向Ｗの外側に延びる部分は、内側縁３１Ｄよりも腹側の領域から内側縁よりも背側の領域を跨いでいる。脚回り開口部５の縦側辺５３は、背側から腹側に向かって横方向Ｗの内側に延びており、吸収コア３０の外側縁と逆の傾斜となる。そのため、吸収コア３０の横方向Ｗの長さを短くした部分において、脚回り開口部５の横方向Ｗの長さを長く設けることができ、おむつ全体として胴回りを覆い続け、漏れやずれを抑制できる。
【００４４】
吸収コア３０は、腹側に位置する腹外端縁Ｆ３０と、背側に位置する背外端縁Ｒ３０と、を有する。腹外端縁Ｆ３０は、吸収コア３０において最も腹側に位置する縁であり、背外端縁Ｒ３０は、吸収コア３０において最も腹側に位置する縁である。腹外端縁Ｆ３０と第１交差点Ｐ１の距離ＧＦ３０は、背外端縁Ｒ３０と第２交差点Ｐ２との距離ＧＲ３０よりも長くてよい。第１交差点Ｐ１と第２交差点Ｐ２は、括れ部３１における横方向Ｗの中心に位置し、猫の後脚の横方向Ｗの中心に当たり易い。括れ部３１における横方向Ｗの中心よりも腹側に延出する吸収コア３０の縦方向Ｚの長さが、括れ部３１における横方向Ｗの中心よりも背側に延出する吸収コア３０の縦方向Ｚの長さよりも長い。後脚よりも腹側に延びる吸収コア３０の縦方向Ｚの長さを十分に確保できるため、腹部の皮膚の伸び縮み量が大きくなった場合であっても吸収コア３０を追従させ続けることができ、おむつが着用された状態を維持し易い。また、後脚よりも腹側に延びる吸収コア３０の縦方向Ｚの長さを確保するために、括れ部３１の内側縁３１Ｄの少なくとも一部は、吸収コア３０の縦方向Ｚの中心ＣＺ３０よりも腹側に位置してよい。
【００４５】
吸収コア３０は、吸収コア３０の縦方向Ｚの中心ＣＺ３０よりも腹側に位置する腹側領域ＲＦ３０と、吸収コア３０の縦方向Ｚの中心ＣＺ３０よりも背側に位置する背側領域ＲＲ３０と、を有する。腹側領域ＲＦ３０の面積は、背側領域ＲＲ３０の面積よりも大きくてよい。雌の犬の排尿口２０１Ｆは、背側領域ＲＲ３０に当たり易く、雄の犬の排尿口２０１Ｍは、腹側領域ＲＦ３０に当たりやすい。一方、猫の排尿口１０１は、雄の場合も雌の場合も、背側領域ＲＲ３０に当たり易い。猫のおむつにおいて、腹側領域ＲＦ３０の面積を大きくすることで、背側領域ＲＲ３０から腹側領域ＲＦ３０に拡散する体液保持することができる。また、一般的に、猫は飲水量が少ないため、泌尿器疾患にかかり易い。泌尿器疾患にかかると、多飲多尿の症状が出やすい。多尿になった場合は、吸収コア３０の腹側領域ＲＦ３０に拡散が広がる傾向がより顕著になる。腹側領域ＲＦ３０の面積を大きくすることで、多尿になった場合においても背側領域ＲＲ３０から腹側領域ＲＦ３０に拡散する体液保持することができる。
【００４６】
括れ部３１の内側縁３１Ｄにおける吸収コア３０の横方向Ｗの長さＷＤ３０は、背側領域ＲＲ３０における吸収コア３０の横方向の最大長さに対する８０％以下であってよい。括れ部３１の内側縁３１Ｄにおける吸収コア３０の横方向Ｗの長さＷＤ３０は、左右の内側縁３１Ｄ間の距離である。背側領域ＲＲ３０における吸収コア３０の横方向の最大長さは、本実施の形態においては、吸収コア３０の外側縁３０Ｅ間の距離である。吸収コア３０の背側領域ＲＲ３０における横方向Ｗの最大長さと、括れ部３１の内側縁３１Ｄにおける吸収コア３０の横方向Ｗの長さと、の差を大きく設けることができる。上述のように、猫の排尿口１０１は、雄の場合も雌の場合も、背側領域ＲＲ３０に当たり易い。猫のおむつにおいて、背側領域ＲＲ３０の吸収コア３０の横方向Ｗの最大長さを大きくすることで、背側領域ＲＲ３０の吸収容量を確保できる。加えて、猫は、犬と比較して、排尿口１０１と尻尾１０２の距離が短く、尻尾穴７０から体液が漏れやすい。背側領域ＲＲ３０の吸収コア３０の横方向Ｗの最大長さを大きくすることで、背側領域ＲＲ３０の吸収容量を確保し、尻尾穴７０からの体液の漏れを抑制できる。また、猫は、一般的に、犬と比較して体形の個体差が少なく、また脚幅が最も狭くなる部分１０５の脚幅が短い。括れ部３１の内側縁３１Ｄにおける吸収コア３０の横方向Ｗの長さＷＤ３０を短くすることで、脚幅が最も短くなる部分１０５に適切におむつフィットさせることができる。
【００４７】
図１に示すように、尻尾穴７０の横方向Ｗの最大長さＭ７０は、括れ部３１の内側縁３１Ｄにおける吸収コア３０の横方向Ｗの長さＷＤ３０以上であってよい。ここで、尻尾穴７０の横方向Ｗの最大長さＭ３０は、切り込み部７２を有する尻尾穴７０においては、穴本体部７１と切り込み部７２を合わせた領域の横方向Ｗの長さである。本実施の形態では、最も横方向Ｗの外側に位置する切り込み部７２の外側縁間の距離である。着用時に尻尾穴７０に尻尾１０２を挿入することで、尻尾を介して尻尾穴７０を横方向Ｗに引っ張ることができ、吸収コア３０には、横方向Ｗに伸長される力がかかる。吸収コア３０の横方向に広げて吸収コアのよれを低減でき、着用時における吸収コア３０の横方向Ｗの長さを確保し易い。特に猫は、犬と比較して、胴回り寸法に対する尻尾の径の比率が高い。よって、尻尾を介して吸収コア３０のよれを低減する効果を得やすい。尻尾穴７０の横方向Ｗの最大長さＭ７０が括れ部３１の吸収コア３０の横方向Ｗの長さＷＤ３０以上であるため、尻尾穴７０の横方向Ｗ全域に亘って吸収コア３０を広げる力が作用した際に、括れ部３１における吸収コア３０の横方向Ｗの全域を広げることができる。また、尻尾穴７０が括れ部３１の内側縁３１Ｄよりも横方向の外側に延出していることにより、横方向Ｗの外側から吸収コア３０を引っ張ることができ、吸収コア３０のよれをより抑制できる。
【００４８】
尻尾穴７０は、吸収コア３０の背側に位置する背外端縁Ｒ３０よりも背側に配置されてよい。すなわち、尻尾穴７０と吸収コア３０は、縦方向Ｚにおいて離間してよい。尻尾穴７０が吸収コア３０と重ならない領域に設けられているため、尻尾を介して尻尾穴７０を横方向Ｗに引っ張る力が吸収コア３０の剛性の影響を受けにくい。そのため、尻尾を介して吸収コア３０のよれを低減する効果をより得やすい。
【００４９】
平面視において括れ部３１と重なる領域には、コアラップ３２同士が重なる重畳部Ｒ３２（図１参照）が設けられてよい。重畳部Ｒ３２は、吸収コア３０が配置されてなく、コアラップ３２同士が当接する領域である。括れ部３１は、吸収コア３０が配置されてなく、吸収コア３０が配置された領域と比較して、その剛性を維持しにくいことがある。しかし、重畳部Ｒ３２にコアラップ３２を重ねて配置することで、括れ部３１近傍の剛性を高めることができる。吸収コア３０の括れ部３１のよれを抑制でき、フィット性を維持できる。
【００５０】
おむつを伸長させた伸長状態において、防漏ギャザー１５の固定部１７の横方向Ｗの内側縁１７Ｄは、括れ部３１の内側縁３１Ｄよりも横方向Ｗの外側に位置してよい。防漏ギャザー１５は、固定部１７を基点として起立部１６が立ち上がるとともに、吸収コア３０の剛性差によって吸収コア３０を基点に起立部１６及び固定部１７全体が立ち上がることがある。このとき、括れ部３１が設けられた領域において吸収コア３０の外側縁となる括れ部３１の内側縁３１Ｄよりも横方向Ｗの外側に固定部１７の内側縁１７Ｄがあるため、括れ部３１の内側縁を基点に起立部１６及び固定部１７全体が立ち上がる。括れ部３１が設けられた領域では、吸収コア３０の横方向Ｗの長さが比較的短く、吸収コアよりも横方向の外側に体液が導かれるおそれがあるが、起立部１６の立ち上がる高さを確保でき、漏れを抑制できる。
【００５１】
次いで、図６及び図７に基づいて変形例に係る猫用おむつ１Ｘについて説明する。なお、以下の変形例の説明において、上述の実施形態と同様の構成については、同符号を用いて説明を省略する。図６は、変形例に係る猫用おむつ１Ｘの肌面側から見た平面図であり、図７は、変形例に係る吸収コア３０Ｘの平面図である。変形例に係る吸収コア３０Ｘの括れ部３１の内側縁３１Ｄは、縦方向Ｚに延びる一定の範囲に設けられている。変形例に係る括れ部３１は、腹側に位置する腹基端縁３１１、背側に位置する背基端縁３１２、及び内側縁３１Ｄを繋ぐ側縁３３を有している。側縁３３は、腹基端縁３１１から内側縁３１Ｄに延びる腹側縁Ｆ３３と、背基端縁３１２から内側縁３１Ｄに延びる背側縁Ｒ３３と、を有する。腹側縁Ｆ３３と背側縁Ｒ３３は、横方向Ｗに延びる横仮想線に対して対称でない。腹側縁Ｆ３３は、腹基端縁３１１から背側に曲線状に延びる部分ＣＦ３３と、曲線状に延びる部分ＣＦ３３と内側縁３１Ｄを直線状に繋ぐ部分ＳＦ３３と、を有する。直線状に延びる部分ＳＦ３３は、縦方向Ｚに対して角度α傾斜している。角度αは、曲線状に繋ぐ部分ＣＦ３３の縦方向Ｚに対する傾斜角度よりも小さく、略０度に近い（５度以下）の角度である。また、腹側縁Ｆ３３において、直線状に延びる部分ＳＦ３３の縦方向Ｚの長さは、曲線状に繋ぐ部分ＣＦ３３の縦方向Ｚの長さよりも長い。また、背側縁Ｒ３３は、背基端縁３１２から内側縁３１Ｄに向けて曲線状に延びており、直線状に延びる部分を有していない。
【００５２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００５３】
着用時にずれ難い猫用おむつを提供することができる。
【符号の説明】
【００５４】
１、１Ｘ  ：猫用おむつ、２  ：本体部、５  ：脚回り開口部、５１  ：腹側辺、５２  ：背側辺、５３  ：縦側辺、１０  ：表面シート、１５  ：防漏ギャザー、１６  ：起立部、１７  ：固定部、２０  ：裏面シート、３０、３０Ｘ  ：吸収コア、Ｆ３０  ：腹外端縁、Ｒ３０  ：背外端縁、３１  ：括れ部、３１１  ：腹基端縁、３１２    ：背基端縁、７０  ：尻尾穴、７１  ：穴本体部、７２  ：切り込み部、９０  ：ファスニングテープ、ＲＦ３０  ：腹側領域、ＲＲ３０  ：背側領域、Ｓ１  ：腹側域、Ｓ２  ：背側域、Ｓ３    ：股下域、Ｔ  ：厚み方向、Ｗ  ：横方向、Ｚ  ：縦方向
【図１】
0006906038.tif 000002
【図２】
0006906038.tif 000003
【図３】
0006906038.tif 000004
【図４】
0006906038.tif 000005
【図５】
0006906038.tif 000006
【図６】
0006906038.tif 000007
【図７】
0006906038.tif 000008